(57)【要約】【課題】帯封紙幣束を収納する収納庫が紙幣処理装置の筐体の外部の位置で着脱自在に装着されるようにすることにより、操作者にとっての利便性を向上させることができる紙幣処理システムおよび収納庫を提供する。【解決手段】紙幣処理システムは、紙幣の帯封を行う帯封部２００および帯封部２００により帯封された帯封紙幣束を筐体の外部に出す出口部２３０を有する紙幣処理装置１０と、紙幣処理装置１０に着脱自在に装着され、帯封紙幣束を内部に入れるための開口４０４が設けられている、帯封紙幣束を収納する収納庫４００とを備えている。収納庫４００は、紙幣処理装置１０の筐体１１の外側の位置で当該紙幣処理装置１０に装着されるようになっている。【選択図】図２
2019053576.tif 000002
【特許請求の範囲】
【請求項１】
紙幣の帯封を行う帯封部および前記帯封部により帯封された帯封紙幣束を筐体の外部に出す出口部を有する紙幣処理装置と、
前記紙幣処理装置に着脱自在に装着され、帯封紙幣束を内部に入れるための開口が設けられている、帯封紙幣束を収納する収納庫と、
を備え、
前記収納庫は、前記紙幣処理装置の前記筐体の外側の位置で当該紙幣処理装置に装着されるようになっている、紙幣処理システム。
【請求項２】
前記紙幣処理装置の前記出口部と、前記収納庫の前記開口とを向き合わせるよう、前記収納庫が前記紙幣処理装置に装着されるときの前記紙幣処理装置の前記筐体に対する前記収納庫の位置決めを行う位置決め手段が設けられている、請求項１記載の紙幣処理システム。
【請求項３】
前記収納庫の前記開口を開閉するシャッタが当該収納庫に設けられている、請求項１または２記載の紙幣処理システム。
【請求項４】
前記収納庫が前記紙幣処理装置に装着されているときにこのことを検知する検知部を更に備えた、請求項１または２記載の紙幣処理システム。
【請求項５】
前記収納庫の前記開口を開閉するシャッタが当該収納庫に設けられており、
前記収納庫が前記紙幣処理装置に装着されていることが前記検知部により検知されると、前記収納庫の前記開口が開くよう前記シャッタが移動させられるようになっている、請求項４記載の紙幣処理システム。
【請求項６】
前記収納庫が前記紙幣処理装置に装着されていることが前記検知部により検知されると、前記紙幣処理装置において帯封紙幣束が前記出口部から前記筐体の外部に出される際の速度が変化する、請求項４または５記載の紙幣処理システム。
【請求項７】
前記紙幣処理装置には、前記収納庫に収納されている帯封紙幣束に関する情報を管理する制御部が設けられている、請求項１乃至６のいずれか一項に記載の紙幣処理システム。
【請求項８】
前記収納庫には記憶媒体が設けられており、前記紙幣処理装置には、当該紙幣処理装置に装着されている前記収納庫の前記記憶媒体に情報を書き込む書込部が設けられており、
前記書込部により、前記紙幣処理装置の前記制御部により管理されている帯封紙幣束に関する情報が前記収納庫の前記記憶媒体に書き込まれるようになっている、請求項７記載の紙幣処理システム。
【請求項９】
前記収納庫には表示部が設けられており、当該表示部には、前記記憶媒体に記憶されている帯封紙幣束に関する情報が表示されるようになっている、請求項８記載の紙幣処理システム。
【請求項１０】
前記紙幣処理装置に装着された前記収納庫を当該紙幣処理装置から取り外すことのできないようロックするロック手段が設けられている、請求項１乃至９のいずれか一項に記載の紙幣処理システム。
【請求項１１】
前記ロック手段による前記収納庫のロックの解除の指示を入力するための操作部が前記紙幣処理装置に設けられている、請求項１０記載の紙幣処理システム。
【請求項１２】
紙幣の帯封を行う帯封部および前記帯封部により帯封された帯封紙幣束を筐体の外部に出す出口部を有する紙幣処理装置に着脱自在に装着される、帯封紙幣束を収納する収納庫であって、
帯封紙幣束を内部に入れるための開口が設けられており、
前記収納庫は、前記紙幣処理装置の前記筐体の外側の位置で当該紙幣処理装置に装着されるようになっている、収納庫。
【発明の詳細な説明】
【技術分野】
【０００１】
本発明は、紙幣の帯封を行う帯封部を有する紙幣処理装置および帯封紙幣束を収納する収納庫を備えた紙幣処理システム、ならびに帯封紙幣束を収納する収納庫に関する。
【背景技術】
【０００２】
帯封紙等の帯封媒体によって所定枚数（例えば、１００枚）の紙幣を帯封することにより帯封紙幣束を作製する紙幣処理装置として従来から様々なタイプのものが知られている（例えば、特許文献１や特許文献２等参照）。特許文献１や特許文献２等に開示される紙幣処理装置では、帯封されるべき紙幣を例えば金種毎に複数の整理一時保留部に積層状態で集積させ、ある整理一時保留部に所定枚数（例えば、１００枚）の紙幣が集積されると、この整理一時保留部から所定枚数の紙幣束を搬送アーム機構により取り出し、当該搬送アーム機構によって紙幣束を帯封部に送ることによって当該帯封部で帯封紙幣束を作製するようになっている。
【先行技術文献】
【特許文献】
【０００３】
【特許文献１】特開２００６−１０７０６１号公報
【特許文献２】特開２００９−８６７１５号公報
【発明の概要】
【発明が解決しようとする課題】
【０００４】
特許文献１等に開示されるような従来の紙幣処理装置では、帯封部により作製された帯封紙幣束は投出口から筐体の外部に出されるようになっていた。また、紙幣処理装置の筐体の外部における投出口の近傍には帯封紙幣束の収容ケースが設けられており、紙幣処理装置の投出口から筐体の外部に出された帯封紙幣束は収容ケースに収容されるようになっていた。しかしながら、帯封紙幣束の収容ケースを単に紙幣処理装置の筐体の外側に置いただけでは、収容ケースに収容されている帯封紙幣束が第三者に持ち去られるのを防ぐため、紙幣処理装置からの帯封紙幣束の投出動作中に操作者は紙幣処理装置から離れることができず、不便であるという問題があった。
【０００５】
本発明は、このような点を考慮してなされたものであり、帯封紙幣束を収納する収納庫が紙幣処理装置の筐体の外部の位置で着脱自在に装着されるようにすることにより、操作者にとっての利便性を向上させることができる紙幣処理システムおよび収納庫を提供することを目的とする。
【課題を解決するための手段】
【０００６】
本発明の紙幣処理システムは、紙幣の帯封を行う帯封部および前記帯封部により帯封された帯封紙幣束を筐体の外部に出す出口部を有する紙幣処理装置と、前記紙幣処理装置に着脱自在に装着され、帯封紙幣束を内部に入れるための開口が設けられている、帯封紙幣束を収納する収納庫と、を備え、前記収納庫は、前記紙幣処理装置の前記筐体の外側の位置で当該紙幣処理装置に装着されるようになっていることを特徴とする。
【０００７】
このような紙幣処理システムによれば、帯封紙幣束を収納する収納庫が紙幣処理装置の筐体の外部の位置で着脱自在に装着されるようにすることにより、操作者にとっての利便性を向上させることができる。
【０００８】
本発明の紙幣処理システムにおいては、前記紙幣処理装置の前記出口部と、前記収納庫の前記開口とを向き合わせるよう、前記収納庫が前記紙幣処理装置に装着されるときの前記紙幣処理装置の前記筐体に対する前記収納庫の位置決めを行う位置決め手段が設けられていてもよい。
【０００９】
また、前記収納庫の前記開口を開閉するシャッタが当該収納庫に設けられていてもよい。
【００１０】
また、本発明の紙幣処理システムは、前記収納庫が前記紙幣処理装置に装着されているときにこのことを検知する検知部を更に備えていてもよい。
【００１１】
この場合、前記収納庫の前記開口を開閉するシャッタが当該収納庫に設けられており、前記収納庫が前記紙幣処理装置に装着されていることが前記検知部により検知されると、前記収納庫の前記開口が開くよう前記シャッタが移動させられるようになっていてもよい。
【００１２】
また、前記収納庫が前記紙幣処理装置に装着されていることが前記検知部により検知されると、前記紙幣処理装置において帯封紙幣束が前記出口部から前記筐体の外部に出される際の速度が変化するようになっていてもよい。
【００１３】
本発明の紙幣処理システムにおいては、前記紙幣処理装置には、前記収納庫に収納されている帯封紙幣束に関する情報を管理する制御部が設けられていてもよい。
【００１４】
この場合、前記収納庫には記憶媒体が設けられており、前記紙幣処理装置には、当該紙幣処理装置に装着されている前記収納庫の前記記憶媒体に情報を書き込む書込部が設けられており、前記書込部により、前記紙幣処理装置の前記制御部により管理されている帯封紙幣束に関する情報が前記収納庫の前記記憶媒体に書き込まれるようになっていてもよい。
【００１５】
また、前記収納庫には表示部が設けられており、当該表示部には、前記記憶媒体に記憶されている帯封紙幣束に関する情報が表示されるようになっていてもよい。
【００１６】
本発明の紙幣処理システムにおいては、前記紙幣処理装置に装着された前記収納庫を当該紙幣処理装置から取り外すことのできないようロックするロック手段が設けられていてもよい。
【００１７】
この場合、前記ロック手段による前記収納庫のロックの解除の指示を入力するための操作部が前記紙幣処理装置に設けられていてもよい。
【００１８】
本発明の収納庫は、紙幣の帯封を行う帯封部および前記帯封部により帯封された帯封紙幣束を筐体の外部に出す出口部を有する紙幣処理装置に着脱自在に装着される、帯封紙幣束を収納する収納庫であって、帯封紙幣束を内部に入れるための開口が設けられており、前記収納庫は、前記紙幣処理装置の前記筐体の外側の位置で当該紙幣処理装置に装着されるようになっていることを特徴とする。
【００１９】
このような収納庫によれば、紙幣処理装置の筐体の外部の位置で着脱自在に装着されるようになっているため、操作者にとっての利便性を向上させることができる。
【発明の効果】
【００２０】
本発明の紙幣処理システムおよび収納庫によれば、帯封紙幣束を収納する収納庫が紙幣処理装置の筐体の外部の位置で着脱自在に装着されるようにすることにより、操作者にとっての利便性を向上させることができる。
【図面の簡単な説明】
【００２１】
【図１】本発明の実施の形態による紙幣処理システムの外観を示す斜視図である。
【図２】図１に示す紙幣処理システムにおける紙幣処理装置および収納庫を側方から見たときの内部構成を概略的に示す構成図である。
【図３】図１に示す紙幣処理システムにおける収納庫の内部構成の一例を示す構成図である。
【図４】図１に示す紙幣処理システムにおける収納庫の内部構成の他の例を示す構成図である。
【図５】図１に示す紙幣処理システムにおける収納庫の内部構成の更に他の例を示す構成図である。
【図６】図１に示す紙幣処理システムにおける収納庫の内部構成の更に他の例を示す構成図である。
【図７】図１に示す紙幣処理システムにおける収納庫の内部構成の更に他の例を示す構成図である。
【図８】図１に示す紙幣処理システムにおける制御系の構成を示す機能ブロック図である。
【発明を実施するための形態】
【００２２】
以下、図面を参照して本発明の実施の形態について説明する。図１乃至図８は、本実施の形態による紙幣処理システムを示す図である。このうち、図１は、本実施の形態による紙幣処理システムの外観を示す斜視図であり、図２は、図１に示す紙幣処理システムにおける紙幣処理装置および収納庫を側方から見たときの内部構成を概略的に示す構成図である。また、図３乃至図７は、それぞれ、図１に示す紙幣処理システムにおける収納庫の内部構成の様々な例を示す構成図である。また、図８は、図１に示す紙幣処理システムにおける制御系の構成を示す機能ブロック図である。なお、図３乃至図７において、収納庫に収納されている帯封紙幣束を参照符合Ｂで示している。
【００２３】
図１および図２に示すように、本実施の形態による紙幣処理システムは、紙幣の入金処理や出金処理等の様々な処理を行う紙幣処理装置１０に、当該紙幣処理装置１０により作製された帯封紙幣束を収納する収納庫４００が着脱自在に装着されたものである。ここで、図２に示すように、収納庫４００は、紙幣処理装置１０の筐体１１の外側の位置で紙幣処理装置１０に装着されるようになっている。なお、図１では紙幣処理装置１０における帯封紙幣束の出口部２３０を見やすくするために収納庫４００が紙幣処理装置１０から手前側に離間した状態が示されているが、図１に示す状態から収納庫４００が矢印方向に（すなわち、図１の紙面において奥側に向かって）移動させられることにより当該収納庫４００が紙幣処理装置１０の筐体１１の外側の位置で紙幣処理装置１０に装着されるようになる。
【００２４】
本実施の形態による紙幣処理装置１０の全体的な構成について図１および図２を用いて説明する。ここで、図２は、本実施の形態による紙幣処理装置１０を側方から見たときの内部構成を概略的に示す構成図である。なお、図２における筐体１１の左側の側面が紙幣処理装置１０の前面側（すなわち、紙幣処理装置１０を手前側から見たときの正面側）となっており、図２における右方向が筐体１１の奥行き方向となっている。
【００２５】
図１および図２に示すように、本実施の形態による紙幣処理装置１０は略直方体形状の筐体１１を有しており、筐体１１の上部には、紙幣処理装置１０の制御部２０（後述）に様々な指令を与えることができるとともに紙幣処理装置１０による紙幣の処理状態等を表示するための操作表示部１２が設けられている。この操作表示部１２は例えばタッチパネル等から構成されている。また、筐体１１の内部における紙幣処理装置１０を側方から見たときの上部左側の箇所には、分類集積部１００が設けられている。ここで、分類集積部１００は、紙幣処理装置１０に投入された紙幣を筐体１１の内部に１枚ずつ繰り出し、複数（例えば、５つ）の整理一時保留部１１０（後述）に例えば金種毎に集積させるようになっている。また、紙幣処理装置１０の筐体１１の内部における分類集積部１００の下方には、積層状態に集積された所定枚数（例えば、１００枚）の紙幣束を帯封するための帯封部２００が設けられている。また、紙幣処理装置１０の筐体１１の内部における分類集積部１００および帯封部２００の奥側（すなわち、図２における右方向）には、積層状態に集積された紙幣束を帯封部２００や端数紙幣返却部１３０（後述）に送るための紙幣束搬送機構３００が設けられている。このような紙幣処理装置１０の各構成部材の詳細について以下に説明する。
【００２６】
図１および図２に示すように、分類集積部１００は、紙幣を受け入れる紙幣投入口１０１と、紙幣投入口１０１に投入された紙幣を筐体１１の内部に取り込むための一対の繰出ローラ１０２、１０３と、筐体１１の内部に取り込まれた紙幣のうち偽札や識別不能な紙幣等のリジェクトを行うリジェクト口１０４と、筐体１１の内部に取り込まれた紙幣のうち操作表示部１２等により設定された金種等以外の紙幣を集積させるための複数（例えば、２つ）の外部集積部１２０を有している。
【００２７】
紙幣投入口１０１は、操作者により１または束状態の複数の紙幣が短手方向に一括して投入されるよう構成されている。また、図２に示すように、紙幣投入口１０１は搬送部１０５に接続されており、紙幣投入口１０１に投入された１または積層状態の複数の紙幣は、繰出ローラ１０２、１０３により１枚ずつ搬送部１０５に繰り出されて当該搬送部１０５により搬送されるようになっている。また、リジェクト口１０４は搬送部１０５に接続されており、紙幣投入口１０１により筐体１１の内部に取り込まれた紙幣のうち後述する識別部１０６によりリジェクトすべき紙幣であると識別された紙幣や、識別部１０６により識別することができなかった紙幣、すなわちリジェクト紙幣が搬送部１０５からリジェクト口１０４に送られるようになっている。また、操作者は、このリジェクト口１０４に送られた紙幣を筐体１１の前面側から取り出すことができるようになっている。また、リジェクト口１０４には、押さえ板１０４ａが設けられており、リジェクト口１０４に送られたリジェクト紙幣の束を押さえつけることができるよう、水平方向に延びる軸を中心として回動可能となっている。
【００２８】
搬送部１０５は、紙幣処理装置１０の内部で紙幣を１枚ずつ順次搬送する機能を有している。具体的には、搬送部１０５において、紙幣は一対のベルト間に挟まれて搬送路に沿って搬送されるようになっている。また、図２に示すように、搬送部１０５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部２０により制御されるようになっている。また、搬送部１０５には、当該搬送部１０５で搬送される紙幣の識別を行う識別部１０６が設けられている。この識別部１０６は、搬送部１０５で搬送される紙幣の金種、真偽、正損、表裏、新旧、搬送状態等を識別するようになっている。また、識別部１０６による紙幣の識別結果は後述する制御部２０に送られるようになっている。
【００２９】
また、搬送部１０５の搬送路における識別部１０６の下流側には表裏反転部１０７が設けられており、識別部１０６により識別された紙幣は表裏反転部１０７によりその表裏が整えられるようになっている。具体的には、表裏反転部１０７に送られた紙幣のうち、裏面が上側となっている紙幣のみの表裏が反転されることにより、この表裏反転部１０７から出された紙幣は全て表面（おもてめん）が上側となるようになる。
【００３０】
また、紙幣処理装置１０の内部には、複数（例えば５つ）の整理一時保留部１１０（１１０ａ〜１１０ｅ）が筐体１１の上下方向（すなわち、図２における上下方向）において並列に並ぶよう設けられている。ここで、各整理一時保留部１１０は、識別部１０６により金種や新旧等が識別され、表裏反転部１０７により表裏が整えられた紙幣を一時的に保留するようになっている。図２に示すように、各整理一時保留部１１０は、当該整理一時保留部１１０に送られた紙幣の位置決めを行うためのストッパ１１２と、紙幣を集積するための底部材１１１とを有している。また、底部材１１１は、図２における上下方向に移動可能となっており、当該底部材１１１の上に集積された紙幣の枚数に応じて、上下方向に移動するようになっている。具体的には、底部材１１１の上に集積された紙幣の枚数が増えると、底部材１１１が図２における下方向に移動するようになっており、底部材１１１の上から紙幣束が取り除かれると、図２における上方向に移動した後、所定の位置に待機するようになっている。また、各整理一時保留部１１０には、紙幣を集積させる際に紙幣が当該整理一時保留部１１０から飛び出してしまうことを防止するための押さえ板１１３が設けられており、この押さえ板１１３は、底部材１１１上に集積された紙幣束を押さえつけることができるよう、水平方向に延びる軸を中心として回動可能となっている。
【００３１】
また、底部材１１１およびストッパ１１２には、紙幣束搬送機構３００の一部を構成する挟持部３２０の上部アーム３２１および下部アーム３２２（後述）の形状に対応した切り欠き（図示せず）が設けられている。より詳細には、挟持部３２０の上部アーム３２１および下部アーム３２２は、底部材１１１およびストッパ１１２と接触することなく、各整理一時保留部１１０に集積された紙幣束を挟持することができるとともに、各整理一時保留部１１０から紙幣束を取り出すことができるようになっている。
【００３２】
また、上述したように、分類集積部１００には２つの外部集積部１２０（１２０ａ、１２０ｂ）が設けられており、各外部集積部１２０ａ、１２０ｂは、搬送部１０５の搬送路おいて各整理一時保留部１１０よりも下流側に設けられている。また、各外部集積部１２０ａ、１２０ｂには、識別部１０６により正常であると識別された紙幣（すなわち、リジェクト口１０４に送られなかった紙幣）のうち、各整理一時保留部１１０に集積されなかった紙幣が集積されるようになっている。また、各外部集積部１２０ａ、１２０ｂには、紙幣を集積させる際に紙幣が当該外部集積部１２０ａ、１２０ｂら飛び出してしまうことを防止するための押さえ板１２１ａ、１２１ｂが設けられており、この押さえ板１２１ａ、１２１ｂは、各外部集積部１２０ａ、１２０ｂに集積された紙幣束を押さえつけることができるよう、水平方向に延びる軸を中心として回動可能となっている。また、操作者は、各外部集積部１２０ａ、１２０ｂに集積された紙幣を筐体１１の前面側から取り出すことができるようになっている。
【００３３】
また、筐体１１内部における各整理一時保留部１１０の上方には、端数紙幣返却部１３０が設けられている。図２に示すように、端数紙幣返却部１３０は、トレイ１３１およびシャッタ１３３を有している。また、端数紙幣返却部１３０には、各整理一時保留部１１０に集積された紙幣のうち、所定枚数（例えば、１００枚）に至らなかった紙幣（すなわち、端数紙幣）が積層状態のまま紙幣束搬送機構３００により搬送されるようになっている。
【００３４】
また、端数紙幣返却部１３０は、紙幣処理装置１０の待機状態において、図２における実線で示す待機位置に待機するようになっている。また、トレイ１３１が待機位置に待機しているときには、シャッタ１３３は閉じられており、筐体１１の外部からトレイ１３１にアクセスすることができないようになっている。一方で、端数紙幣が紙幣束搬送機構３００により各整理一時保留部１１０から端数紙幣返却部１３０に搬送され、トレイ１３１上に載置されると、当該トレイ１３１は図２における二点鎖線で示す進出位置に進出するようになっている。具体的には、トレイ１３１は筐体１１の奥行き方向（すなわち、図２における左右方向）に延びるガイド部材（図示せず）に沿って筐体１１の手前側（すなわち、図２における左方向）にスライドするとともに、シャッタ１３３が開くようになっている。このことにより、操作者は、トレイ１３１にアクセスすることができるようになり、よって端数紙幣返却部１３０に送られた紙幣を容易に取り出すことが可能となる。なお、上述した各整理一時保留部１１０の底部材１１１およびストッパ１１２の形状と同様に、トレイ１３１には紙幣束搬送機構３００の挟持部３２０の上部アーム３２１および下部アーム３２２（後述）の形状に対応した切り欠きが設けられている。このことにより、挟持部３２０に挟持された状態の紙幣束をトレイ１３１上に載置することができるようになっている。
【００３５】
また、本実施の形態における紙幣処理装置１０には、制御部２０が設けられている。制御部２０は、分類集積部１００を構成する各部材（具体的には、繰出ローラ１０２、１０３、搬送部１０５、表裏反転部１０７、各整理一時保留部１１０および端数紙幣返却部１３０）を制御するようになっている。なお、上述したように、識別部１０６による紙幣の識別結果は制御部２０に送られるようになっている。また、制御部２０は、操作表示部１２により入力された情報に基づいて紙幣処理装置１０の各構成部材を制御することができるようになっている。
【００３６】
次に、各整理一時保留部１１０に積層状態で集積された紙幣束を端数紙幣返却部１３０または帯封部２００に送るための紙幣束搬送機構３００について説明する。なお、以下において紙幣束搬送機構３００を説明する際に、各整理一時保留部１１０に保留された紙幣が複数枚あることを前提としているが、仮に各整理一時保留部１１０に保留されている紙幣が１枚である場合でも、紙幣束搬送機構３００は、この１枚の紙幣を端数紙幣返却部１３０に送るようになっている。
【００３７】
図２に示すように、紙幣束搬送機構３００は、筐体１１の内部で鉛直方向（すなわち、図２における上下方向）に沿って延びるガイド部３１０と、当該ガイド部３１０に設けられており、紙幣を挟持するための挟持部３２０とを有している。また、挟持部３２０は、駆動モータ（図示せず）によりガイド部３１０に沿って移動するようになっている。
【００３８】
また、図２に示すように、挟持部３２０は、その間に積層状態の紙幣束を挟持するための上部アーム３２１および下部アーム３２２を有しており、当該上部アーム３２１および下部アーム３２２の間に紙幣束が挟持されるようになっている。また、挟持部３２０に紙幣束が挟持された状態において、当該挟持部３２０がガイド部３１０の延びる方向に沿って案内されることにより、紙幣束搬送機構３００による紙幣束の搬送が行われるようになっている。また、挟持部３２０は、図示しない駆動機構により図２における左右方向に移動可能となっている。具体的には、各整理一時保留部１１０に積層状態で集積された紙幣束を挟持するとき、あるいは挟持部３２０により挟持した紙幣束を他の構成部材（具体的には、端数紙幣返却部１３０または帯封部２００）に受け渡すとき等に図２における左右方向に移動するようになっている。このことにより、紙幣束搬送機構３００による紙幣束の取り出しや、紙幣束の受け渡し等を行うことができるようになる。
【００３９】
次に、紙幣束搬送機構３００により搬送される所定枚数の紙幣束を帯封するための帯封部２００について説明する。
【００４０】
帯封部２００は、所定枚数（例えば、１００枚）の紙幣を帯状のテープにより巻くことにより、紙幣束の帯封を行うために設けられている。具体的には、帯封部２００の下部にはテープセット部２１０が設けられており、このテープセット部２１０から帯封紙が帯封部２００に送られることによって、帯封部２００において例えば１００枚の紙幣束が帯封紙により帯封されるようになっている。また、帯封部２００には帯封紙幣束搬送部２２０が接続されており、帯封部２００により帯封された紙幣（すなわち、帯封紙幣束）は帯封紙幣束搬送部２２０により搬送され、出口部２３０により筐体１１の外部に投出されるようになっている。より詳細には、出口部２３０には帯封紙幣束が滑る傾斜面２３１および筐体１１の外部に帯封紙幣束を出す帯封紙幣束投出口２３２がそれぞれ設けられており、帯封紙幣束搬送部２２０により出口部２３０に搬送された帯封紙幣束は傾斜面２３１を滑って帯封紙幣束投出口２３２から筐体１１の外部に出されるようになる。
【００４１】
また、帯封部２００を構成する各部材およびテープセット部２１０、帯封紙幣束搬送部２２０等は制御部２０により制御されるようになっている。
【００４２】
次に、紙幣処理装置１０に着脱自在に装着される収納庫４００の構成について図１乃至図３を用いて説明する。
【００４３】
図１乃至図３に示すように、収納庫４００は略直方体形状のケーシング４０２を有しており、このケーシング４０２の側面には帯封紙幣束を内部に入れるための開口４０４が設けられている。ここで、本実施の形態では、収納庫４００が紙幣処理装置１０の筐体１１の外側の位置で当該紙幣処理装置１０に装着されると紙幣処理装置１０の出口部２３０（具体的には、帯封紙幣束投出口２３２）および収納庫４００の開口４０４が向き合うようになっている。このことにより、収納庫４００が紙幣処理装置１０に装着されている状態では、帯封紙幣束搬送部２２０により出口部２３０に搬送された帯封紙幣束は傾斜面２３１を滑って帯封紙幣束投出口２３２および開口４０４を介して収納庫４００の内部に収納されるようになる。また、図２に示すように、収納庫４００には、開口４０４を開閉するシャッタ４０６が設けられており、シャッタ４０６により開口４０４が開かれたときにおいてのみ収納庫４００の外部から内部に帯封紙幣束を入れることができるようになっている。
【００４４】
また、本実施の形態の紙幣処理システムでは、紙幣処理装置１０の出口部２３０（具体的には、帯封紙幣束投出口２３２）と、収納庫４００の開口４０４とを向き合わせるよう、収納庫４００が紙幣処理装置１０に装着されるときの当該紙幣処理装置１０の筐体１１に対する収納庫４００の位置決めを行う位置決め手段１８が設けられている。具体的には、図１に示すように、位置決め手段１８は、紙幣処理装置１０の筐体１１の前面における帯封紙幣束投出口２３２の近傍に設けられた複数の取付ピン１８ａと、収納庫４００のケーシング４０２の側面（具体的には、図１におけるケーシング４０２の奥側の側面）に設けられた複数の孔１８ｂとから構成されている。ここで、収納庫４００のケーシング４０２の側面において、各取付ピン１８ａに対応するよう複数の孔１８ｂが設けられており、収納庫４００が紙幣処理装置１０に装着される際にこの収納庫４００の各孔１８ｂに紙幣処理装置１０の筐体１１の前面に設けられた各取付ピン１８ａが挿入されるようになっている。このことにより、紙幣処理装置１０の出口部２３０（具体的には、帯封紙幣束投出口２３２）と、収納庫４００の開口４０４とを向き合わせるよう、紙幣処理装置１０の筐体１１に対する収納庫４００の位置決めを行うことができるようになる。
【００４５】
また、紙幣処理装置１０の筐体１１の前面に装着された収納庫４００を当該紙幣処理装置１０から取り外すことのできないようロックするロック手段としてロック機構２４（図８参照）が紙幣処理装置１０に設けられている。具体的には、収納庫４００が紙幣処理装置１０の筐体１１の前面に装着されると、ロック機構２４により収納庫４００は自動的に紙幣処理装置１０にロックされるようになっている。また、操作者は操作表示部１２を操作することによってロック機構２４による収納庫４００のロックを解除することができるようになっている。このようなロック機構２４の機能の詳細については後述する。
【００４６】
また、図１等に示すように、収納庫４００のケーシング４０２の側面には、ＩＣタグ等の記憶媒体５００が設けられており、この記憶媒体５００には、収納庫４００に収納されている帯封紙幣束に関する情報が記憶されるようになっている。具体的には、記憶媒体５００には、帯封紙幣束に関する情報として、収納庫４００に収納されている帯封紙幣束の金種毎の数や合計金額、帯封紙幣束の仕向先に係る情報が記憶されるようになっている。また、紙幣処理装置１０にはリーダライタ２２（図８参照）が設けられており、収納庫４００が紙幣処理装置１０に装着されているときにこのリーダライタ２２により記憶媒体５００に情報が書き込まれたり当該記憶媒体５００から情報が読み取られたりするようになっている。また、図１等に示すように、収納庫４００のケーシング４０２の側面には、液晶パネル等の表示部５０２が設けられており、この表示部５０２には、収納庫４００に収納されている帯封紙幣束の仕向先等の情報が表示されるようになっている。より詳細には、帯封紙幣束が収納された収納庫４００は例えば警送会社の警備員等によって金融機関等に運搬されるようになっているが、収納庫４００に収納されている帯封紙幣束の仕向先として、例えば帯封紙幣束が送られるべき金融機関の名称や記号等が表示部５０２に表示されるようになっている。このことにより、警送会社の警備員等は、帯封紙幣束が収納された収納庫４００を紙幣処理装置１０から取り外した後、表示部５０２に表示されている帯封紙幣束の仕向先の情報を見ることにより、収納庫４００をどこに運搬すればよいかを一目で認識することができるようになる。
【００４７】
次に、このような収納庫４００の内部構成について図３を用いて説明する。なお、図３では収納庫４００の内部構成を見やすくするために開口４０４を開閉するシャッタ４０６の表示を省略している。
【００４８】
図３に示すように、収納庫４００の内部空間の底面には載置板４１０がこの底面に対して斜めに傾いた状態で設置されており、この載置板４１０上に帯封紙幣束が積層状態で集積されるようになっている。また、載置板４１０の一端は蝶番４１４により収納庫４００の内部空間の底面に取り付けられており、この載置板４１０は収納庫４００の内部空間の底面に対して揺動可能となっている。また、載置板４１０の他端の近傍にはバネ４１２の一端が取り付けられており、このバネ４１２の他端は収納庫４００の内部空間の底面に取り付けられている。このことにより、載置板４１０に載置される帯封紙幣束の数が増えると、バネ４１２が収縮することにより、載置板４１０と収納庫４００の内部空間の底面とがなす角度が小さくなる。すなわち、載置板４１０はより水平状態に近い状態となり、このことにより載置板４１０に載置される帯封紙幣束の数が増えても収納庫４００の内部における帯封紙幣束の集積状態が崩れてしまうことを防止することができるようになる。
【００４９】
また、図３に示すように、収納庫４００の内部空間の側面における開口４０４の真下の位置にはフラップ板４２０および当該フラップ板４２０を支持するフラップ板支持部４２２が設けられている。ここで、フラップ板支持部４２２はフラップ板４２０を略水平方向に延びるよう支持するようになっている。また、フラップ板４２０はフラップ板支持部４２２に対して図３における矢印方向に回転可能となっている。より詳細には、フラップ板支持部４２２にはねじりバネ（図示せず）が設けられており、当該ねじりバネによりフラップ板４２０に対して図３における反時計回りの方向に力が加えられるようになっている。また、フラップ板支持部４２２にはストッパ（図示せず）が設けられており、当該ストッパによりフラップ板４２０は図３に示すような略水平方向に延びる状態からこれ以上図３における反時計回りの方向に回転しないようになっている。このようなフラップ板４２０が設けられていることにより、紙幣処理装置１０の出口部２３０から収納庫４００の開口４０４を介して当該収納庫４００の内部に送られた帯封紙幣束は、フラップ板４２０に接触することによって、収納庫４００の内部空間における落下時の衝撃を和らげることができ、よって帯封紙幣束が集積不良となってしまうことを抑制することができる。また、このようなフラップ板４２０が設けられていることにより、収納庫４００が紙幣処理装置１０から取り外されているときに悪意ある第三者が開口４０４から収納庫４００の内部に手を入れて載置板４１０に載置されている帯封紙幣束を抜き取ってしまうことを防止することができる。
【００５０】
また、図３に示すような内部構成の収納庫４００では、紙幣処理装置１０の出口部２３０から収納庫４００の開口４０４を介して当該収納庫４００の内部に送られた帯封紙幣束は、収納庫４００の内部空間における開口４０４が設けられた側の内側面と対向する内側面（すなわち、図３における左側の内側面）に衝突して跳ね返った後に載置板４１０上に積層状態で載置されるようになっている。ここで、帯封紙幣束が収納庫４００の内部空間の内側面に衝突する箇所を参照符合Ａで示す。また、収納庫４００の内部空間における帯封紙幣束の移動経路を図３において二点鎖線で示す。また、図３に示す収納庫４００では、紙幣処理装置１０の出口部２３０から収納庫４００の開口４０４を介して当該収納庫４００の内部に送られた帯封紙幣束は収納庫４００の内部空間の内側面に衝突した後に載置板４１０上に積層状態で集積されるため、蝶番４１４から載置板４１０が斜め上方に延びる方向は、出口部２３０の傾斜面２３１の延びる方向に対して逆向きとなっている。このように、図３に示すような内部構成の収納庫４００では、紙幣処理装置１０の出口部２３０から収納庫４００の開口４０４を介して当該収納庫４００の内部に送られた帯封紙幣束を収納庫４００の内部空間の内側面に衝突させることにより、当該帯封紙幣束の落下時の衝撃を和らげることができるようになる。
【００５１】
なお、本実施の形態で用いられる収納庫の内部構成は図３に示すようなものに限定されることはない。本実施の形態による収納庫として、図４に示すような内部構成の収納庫４００ａが用いられてもよい。なお、図４でも収納庫４００ａの内部構成を見やすくするために開口４０４ａを開閉するシャッタの表示を省略している。
【００５２】
図４に示すように、収納庫４００ａの内部空間の底面には載置板４３０がこの底面に対して斜めに傾いた状態で設置されており、この載置板４３０上に帯封紙幣束が積層状態で集積されるようになっている。また、載置板４３０の一端は蝶番４３４により収納庫４００ａの内部空間の底面に取り付けられており、この載置板４３０は収納庫４００ａの内部空間の底面に対して揺動可能となっている。また、載置板４３０の他端の近傍にはバネ４３２の一端が取り付けられており、このバネ４３２の他端は収納庫４００ａの内部空間の底面に取り付けられている。これらの載置板４３０、バネ４３２および蝶番４３４は、図３に示す収納庫４００における載置板４１０、バネ４１２および蝶番４１４と略同一の構成となっている。
【００５３】
また、図４に示すように、収納庫４００ａの内部空間の側面における開口４０４ａの真下の位置にはフラップ板４４０および当該フラップ板４４０を支持するフラップ板支持部４４２が設けられている。これらのフラップ板４４０およびフラップ板支持部４４２は、図３に示す収納庫４００におけるフラップ板４２０およびフラップ板支持部４２２と略同一の構成となっている。このようなフラップ板４４０が設けられていることにより、紙幣処理装置１０の出口部２３０から収納庫４００ａの開口４０４ａを介して当該収納庫４００ａの内部に送られた帯封紙幣束は、フラップ板４４０に接触することによって、収納庫４００ａの内部空間における落下時の衝撃を和らげることができ、よって帯封紙幣束が集積不良となってしまうことを抑制することができる。また、このようなフラップ板４４０が設けられていることにより、収納庫４００ａが紙幣処理装置１０から取り外されているときに悪意ある第三者が開口４０４ａから収納庫４００ａの内部に手を入れて載置板４３０に載置されている帯封紙幣束を抜き取ってしまうことを防止することができる。
【００５４】
また、図４に示すような内部構成の収納庫４００ａでは、収納庫４００ａの内部空間における開口４０４ａが設けられた側の内側面と対向する内側面（すなわち、図４における左側の内側面）は、鉛直方向に対して斜め上方に傾斜している。具体的には、収納庫４００ａの内部空間は下部から上部に向かって徐々に広がるようになっている。また、紙幣処理装置１０の出口部２３０から収納庫４００ａの開口４０４ａを介して当該収納庫４００ａの内部に送られた帯封紙幣束は、上述したような鉛直方向に対して斜め上方に傾斜している内側面（すなわち、図４における左側の内側面）に衝突して跳ね返った後に載置板４３０上に積層状態で載置されるようになっている。ここで、帯封紙幣束が収納庫４００ａの内部空間の内側面に衝突する箇所を参照符合Ａで示す。また、収納庫４００ａの内部空間における帯封紙幣束の移動経路を図４において二点鎖線で示す。このように、紙幣処理装置１０の出口部２３０から収納庫４００ａの開口４０４ａを介して当該収納庫４００ａの内部に送られた帯封紙幣束を収納庫４００ａの内部空間の内側面に衝突させることにより、当該帯封紙幣束の落下時の衝撃を和らげることができるようになる。また、図４に示す収納庫４００ａでは、帯封紙幣束が衝突する内側面が鉛直方向に対して傾斜しているため、当該内側面に帯封紙幣束が衝突したときにこの帯封紙幣束の側縁部と収納庫４００ａの内側面とのなす角度がより小さくなる。このため、収納庫４００ａの内側面と衝突することによって帯封紙幣束の側縁部が損傷してしまうことを抑制することができるようになる。
【００５５】
また、本実施の形態による収納庫として、図５に示すような内部構成の収納庫４００ｂが用いられてもよい。なお、図５でも収納庫４００ｂの内部構成を見やすくするために開口４０４ｂを開閉するシャッタの表示を省略している。
【００５６】
図５に示すように、収納庫４００ｂの内部空間の底面には載置板４５０がこの底面に対して斜めに傾いた状態で設置されており、この載置板４５０上に帯封紙幣束が積層状態で集積されるようになっている。また、載置板４５０の一端は蝶番４５４により収納庫４００ｂの内部空間の底面に取り付けられており、この載置板４５０は収納庫４００ｂの内部空間の底面に対して揺動可能となっている。また、載置板４５０の他端の近傍にはバネ４５２の一端が取り付けられており、このバネ４５２の他端は収納庫４００ｂの内部空間の底面に取り付けられている。これらの載置板４５０、バネ４５２および蝶番４５４は、図３に示す収納庫４００における載置板４１０、バネ４１２および蝶番４１４と略同一の構成となっている。
【００５７】
また、図５に示すように、収納庫４００ｂの内部空間の側面における開口４０４ｂの真下の位置には第１フラップ板４６０および当該第１フラップ板４６０を支持する第１フラップ板支持部４６２が設けられている。これらの第１フラップ板４６０および第１フラップ板支持部４６２は、図３に示す収納庫４００におけるフラップ板４２０およびフラップ板支持部４２２と略同一の構成となっている。さらに、収納庫４００ｂの内部空間における開口４０４ｂが設けられた側の内側面と対向する内側面において、第１フラップ板４６０よりも下方の位置には第２フラップ板４６４および当該第２フラップ板４６４を支持する第２フラップ板支持部４６６が設けられている。これらの第２フラップ板４６４および第２フラップ板支持部４６６も、図３に示す収納庫４００におけるフラップ板４２０およびフラップ板支持部４２２と略同一の構成となっている。そして、紙幣処理装置１０の出口部２３０から収納庫４００ａの開口４０４ａを介して当該収納庫４００ａの内部に送られた帯封紙幣束は、第１フラップ板４６０および第２フラップ板４６４に順に接触した後、載置板４５０上に積層状態で集積されるようになっている。ここで、収納庫４００ｂの内部空間における帯封紙幣束の移動経路を図５において二点鎖線で示す。これらの第１フラップ板４６０および第２フラップ板４６４が設けられていることにより、紙幣処理装置１０の出口部２３０から収納庫４００ｂの開口４０４ｂを介して当該収納庫４００ｂの内部に送られた帯封紙幣束は、第１フラップ板４６０および第２フラップ板４６４にそれぞれ接触することによって、収納庫４００ｂの内部空間における落下時の衝撃を和らげることができ、よって帯封紙幣束が集積不良となってしまうことを抑制することができる。また、このような第１フラップ板４６０および第２フラップ板４６４が設けられていることにより、収納庫４００ｂが紙幣処理装置１０から取り外されているときに悪意ある第三者が開口４０４ｂから収納庫４００ｂの内部に手を入れて載置板４３０に載置されている帯封紙幣束を抜き取ってしまうことを防止することができる。とりわけ、図５に示す内部構成の収納庫４００ｂでは２つのフラップ板４６０、４６４が互い違いに設けられているため、収納庫４００ｂの内部空間における帯封紙幣束の落下時の衝撃をより一層和らげることができるとともに、載置板４３０に載置されている帯封紙幣束がより一層抜き取られにくくなる。
【００５８】
また、本実施の形態による収納庫として、図６に示すような内部構成の収納庫４００ｃが用いられてもよい。なお、図６でも収納庫４００ｃの内部構成を見やすくするために開口４０４ｃを開閉するシャッタの表示を省略している。
【００５９】
図６に示すように、収納庫４００ｃの内部空間の底面には載置板４７０がこの底面に対して斜めに傾いた状態で設置されており、この載置板４７０上に帯封紙幣束が積層状態で集積されるようになっている。また、載置板４７０の一端は蝶番４７４により収納庫４００ｃの内部空間の底面に取り付けられており、この載置板４７０は収納庫４００ｃの内部空間の底面に対して揺動可能となっている。また、載置板４７０の他端の近傍にはバネ４７２の一端が取り付けられており、このバネ４７２の他端は収納庫４００ｃの内部空間の底面に取り付けられている。これらの載置板４７０、バネ４７２および蝶番４７４は、図３に示す収納庫４００における載置板４１０、バネ４１２および蝶番４１４と略同一の構成となっている。しかしながら、図６に示す収納庫４００ｃでは、紙幣処理装置１０の出口部２３０から収納庫４００ｃの開口４０４ｃを介して当該収納庫４００ｃの内部に送られた帯封紙幣束の落下時の衝撃を和らげるためのフラップ板は設けられていない。図６に示す収納庫４００ｃでは、収納庫４００の内部空間の側面における開口４０４ｃの近傍にガイド部４７６が設けられているだけである。このような収納庫４００ｃではフラップ板が設けられていないことにより、紙幣処理装置１０の出口部２３０から収納庫４００ｃの開口４０４ｃを介して当該収納庫４００ｃの内部に送られた帯封紙幣束は収納庫４００の内側面に衝突することはなくそのまま載置板４７０上に積層状態で集積されるようになる。ここで、収納庫４００ｃの内部空間における帯封紙幣束の移動経路を図６において二点鎖線で示す。また、図６に示す収納庫４００ｃでは、紙幣処理装置１０の出口部２３０から収納庫４００ｃの開口４０４ｃを介して当該収納庫４００ｃの内部に送られた帯封紙幣束はそのまま載置板４７０上に積層状態で集積されるため、蝶番４７４から載置板４７０が斜め上方に延びる方向は出口部２３０の傾斜面２３１の延びる方向と同じ向きとなっている。なお、図６に示す収納庫４００ｃにおいて、載置板４７０が収納庫４００ｃの内部空間の底面から斜め上方に延びる方向が、出口部２３０の傾斜面２３１の延びる方向に対して逆向きとなっていてもよい。
【００６０】
また、本実施の形態による収納庫として、図７に示すような内部構成の収納庫４００ｄが用いられてもよい。なお、図７では、収納庫４００ｄが紙幣処理装置１０に装着されたときに当該紙幣処理装置１０の奥行き方向に収納庫４００ｄを見たときの内部構成が示されている。また、図７でも収納庫４００ｄの内部構成を見やすくするために開口４０４ｄを開閉するシャッタの表示を省略している。
【００６１】
図７に示すように、収納庫４００ｄの内部空間の底面には山形状の載置板４８０が設置されており、この載置板４８０上に帯封紙幣束が積層状態で集積されるようになっている。ここで、図７に示すように帯封紙幣束は山形状の載置板４８０の頂部の両側にそれぞれ集積されるようになっているため、帯封紙幣束が開口４０４ｄから収納庫４００ｄの内部に収納される際に図７の左右方向におけるどの位置から収納庫４００ｄの内部に送られても載置板４８０上に積層状態で集積させることができるようになる。また、図７に示すように、収納庫４００ｄの内部空間における開口４０４ｄよりもわずかに下方の位置には検知センサ４９０が設けられている。このような検知センサ４９０が設けられていることにより、開口４０４ｄから収納庫４００ｄの内部に帯封紙幣束が送られる際に当該帯封紙幣束を検知センサ４９０によって検知することができるようになる。また、収納庫４００ｄが帯封紙幣束によりフル状態またはニアフル状態になったときには載置板４８０上に積層状態で集積されている帯封紙幣束が検知センサ４９０によって検知されることにより収納庫４００ｄが帯封紙幣束によりフル状態またはニアフル状態になったことを判別することができるようになる。また、検知センサ４９０による検知情報は紙幣処理装置１０の制御部２０に送られるようになっている。このことにより、制御部２０は、検知センサ４９０により検知された帯封紙幣束の数（すなわち、開口４０４ｄから収納庫４００ｄの内部に送られた帯封紙幣束の数）や、収納庫４００ｄがフル状態またはニアフル状態になっているか否かという情報を管理することができるようになる。
【００６２】
なお、図４乃至図７に示す収納庫４００ａ、４００ｂ、４００ｃ、４００ｄの底部にキャスターが設けられていてもよい。この場合には操作者が収納庫４００ａ、４００ｂ、４００ｃ、４００ｄを移動させる際の作業負荷を低減することができる。
【００６３】
次に、このような構成からなる紙幣処理システムの制御系の構成について図８を用いて説明する。なお、図８では収納庫として図１乃至図３に示す収納庫４００が用いられる例が示されているが、図４乃至図７に示す収納庫４００ａ、４００ｂ、４００ｃ、４００ｄが用いられる場合でも紙幣処理システムの制御系の構成は同様のものとなる。
【００６４】
紙幣処理装置１０の筐体１１の内部には、当該紙幣処理装置１０の各構成部材の制御を行うＣＰＵ（中央演算処理装置）等の制御部２０が設けられている。図８に示すように、制御部２０には、繰出ローラ１０２、１０３、搬送部１０５、識別部１０６、表裏反転部１０７、帯封部２００、帯封紙幣束搬送部２２０、紙幣束搬送機構３００等が接続されている。ここで、識別部１０６による紙幣の識別結果に係る情報は当該識別部１０６から制御部２０に送られるようになっている。また、制御部２０は、繰出ローラ１０２、１０３、搬送部１０５、表裏反転部１０７、帯封部２００、帯封紙幣束搬送部２２０、紙幣束搬送機構３００等の各構成部材に指令信号を送ることによりこれらの構成部材の動作を制御するようになっている。
【００６５】
また、図８に示すように、制御部２０には操作表示部１２、電源スイッチ１４、装着検知部１６、リーダライタ２２およびロック機構２４がそれぞれ接続されている。上述したように操作表示部１２は例えばタッチパネル等から構成されており、各整理一時保留部１１０に収納されている紙幣の金種毎の枚数に係る情報や帯封部２００により作製された帯封紙幣束の数等に係る情報が操作表示部１２に表示されるようになっている。また、操作者は操作表示部１２を操作することによって制御部２０に様々な指令を入力することができるようになっている。また、図１に示すように電源スイッチ１４は筐体１１の前面における操作表示部１２の近傍に設けられており、紙幣処理装置１０が休止状態となっているときに操作者が電源スイッチ１４を押下することにより紙幣処理装置１０を作動させることができるようになっている。
【００６６】
また、装着検知部１６は例えば筐体１１の前面に設けられた光センサ等からなり、紙幣処理装置１０の筐体１１の前面に収納庫４００が装着されているときにこのことを検知することができるようになっている。また、リーダライタ２２は、上述したように、収納庫４００が紙幣処理装置１０に装着されているときにこの収納庫４００に設けられた記憶媒体５００に情報を書き込んだり当該記憶媒体５００から情報を読み取ったりするようになっている。また、ロック機構２４は、上述したように、紙幣処理装置１０の筐体１１の前面に装着された収納庫４００を当該紙幣処理装置１０から取り外すことのできないようロックするようになっている。
【００６７】
また、本実施の形態では、制御部２０は、紙幣処理装置１０に装着されている収納庫４００に収納されている帯封紙幣束に関する情報（具体的には、収納庫４００に収納されている帯封紙幣束の金種毎の数や合計金額、帯封紙幣束の仕向先に係る情報）を管理するようになっている。より詳細には、制御部２０は、紙幣処理装置１０に収納庫４００が装着されているときに、帯封部２００によって帯封紙幣束が作製されてこの作製された帯封紙幣束が帯封紙幣束搬送部２２０によって出口部２３０に送られる度に、帯封紙幣束に関する情報において収納庫４００に収納されている帯封紙幣束の数を１つ増やすようになっている。また、帯封紙幣束の仕向先に係る情報が操作表示部１２によって操作者により制御部２０に入力されると、制御部２０は、この入力された帯封紙幣束の仕向先に係る情報を収納庫４００に収納されている帯封紙幣束に関する情報として管理するようになる。
【００６８】
次に、このような紙幣処理システムの動作について説明する。具体的には、紙幣処理装置１０の筐体１１の前面に収納庫４００が装着されるときの動作について説明する。なお、以下に示すような動作は紙幣処理装置１０の制御部２０が各構成部材を制御することによって行われるようになっている。また、以下に説明する紙幣処理システムの動作は収納庫として図１乃至図３に示す収納庫４００が用いられる例が示されているが、図４乃至図７に示す収納庫４００ａ、４００ｂ、４００ｃ、４００ｄが用いられる場合でも紙幣処理システムの動作は同様のものとなる。
【００６９】
図１に示すように収納庫４００が紙幣処理装置１０の筐体１１から離間している状態において、収納庫４００が図１における矢印方向に移動させられることにより、図２に示すように収納庫４００が紙幣処理装置１０の筐体１１の前面に装着されると、装着検知部１６によってこのことが検知される。また、収納庫４００が紙幣処理装置１０の筐体１１の前面に装着される際にこの収納庫４００の各孔１８ｂに紙幣処理装置１０の筐体１１の前面に設けられた各取付ピン１８ａが挿入されることにより、紙幣処理装置１０の出口部２３０（具体的には、帯封紙幣束投出口２３２）と、収納庫４００の開口４０４とを向き合わせるよう、紙幣処理装置１０の筐体１１に対する収納庫４００の位置決めが行われる。また、ロック機構２４により、収納庫４００は紙幣処理装置１０から取り外すことのできないようロックされる。また、収納庫４００が紙幣処理装置１０の筐体１１の前面に装着されていることが装着検知部１６により検知されると、収納庫４００の開口４０４が開くようシャッタ４０６が移動させられる。
【００７０】
そして、収納庫４００が紙幣処理装置１０に装着されている状態で帯封部２００により帯封紙幣束が作製され、この作製された帯封紙幣束が帯封紙幣束搬送部２２０により出口部２３０に送られると、紙幣処理装置１０の出口部２３０から収納庫４００の開口４０４を介して当該収納庫４００の内部に帯封紙幣束が送られ、収納庫４００の内部空間に帯封紙幣束が積層状態で集積されるようになる。このようにして紙幣処理装置１０の帯封部２００により作製された帯封紙幣束が収納庫４００の内部に収納される。また、制御部２０は、帯封部２００によって帯封紙幣束が作製されてこの作製された帯封紙幣束が帯封紙幣束搬送部２２０によって出口部２３０に送られる度に、帯封紙幣束に関する情報において収納庫４００に収納されている帯封紙幣束の数を１つ増やすようになる。また、収納庫４００が紙幣処理装置１０に装着されているときには、制御部２０により管理されている収納庫４００に収納されている帯封紙幣束に関する情報がリーダライタ２２によって記憶媒体５００に書き込まれるようになっている。このことにより、収納庫４００に収納されている帯封紙幣束に関する情報を記憶媒体５００に記憶させることができるようになる。また、記憶媒体５００に記憶されている、収納庫４００に収納されている帯封紙幣束に関する情報のうち帯封紙幣束の仕向先に関する情報が表示部５０２に表示されるようになっている。
【００７１】
また、収納庫４００が紙幣処理装置１０の筐体１１の前面に装着されていることが装着検知部１６により検知された場合には、収納庫４００が紙幣処理装置１０に装着されていないときと比べて紙幣処理装置１０において帯封紙幣束が出口部２３０から筐体１１の外部に出される際の速度が変化するよう帯封紙幣束搬送部２２０による帯封紙幣束の搬送速度が変えられるようになっている。具体的には、収納庫４００が紙幣処理装置１０の筐体１１の前面に装着されていることが装着検知部１６により検知された場合には、収納庫４００が紙幣処理装置１０に装着されていないときよりも帯封紙幣束搬送部２２０による帯封紙幣束の搬送速度を大きくする。この場合には、帯封部２００により作製された帯封紙幣束をより迅速に収納庫４００に収納させることができるようになる。なお、他の態様として、収納庫４００が紙幣処理装置１０の筐体１１の前面に装着されていることが装着検知部１６により検知された場合には、収納庫４００が紙幣処理装置１０に装着されていないときよりも帯封紙幣束搬送部２２０による帯封紙幣束の搬送速度を小さくしてもよい。例えば図６に示すような構成の収納庫４００ｃが紙幣処理装置１０に装着される場合には、当該収納庫４００ｃに帯封紙幣束を送る速度を大きくすると収納庫４００ｃの内部空間における帯封紙幣束の落下時の衝撃が大きくなってしまい帯封紙幣束が集積不良となってしまうおそれがある。このため、このような場合には帯封紙幣束搬送部２２０による帯封紙幣束の搬送速度を小さくすることにより、収納庫４００ｃの内部空間における帯封紙幣束の落下時の衝撃を抑制することができ、よって帯封紙幣束が集積不良となってしまうことを防止することができるようになる。
【００７２】
収納庫４００を紙幣処理装置１０から取り外す際には、警送会社の警備員等は操作表示部１２によってロック機構２４による収納庫４００のロックの解除の指示を入力する。このことにより、ロック機構２４による収納庫４００のロックが解除され、警送会社の警備員等は収納庫４００を紙幣処理装置１０から取り外すことができるようになる。また、警送会社の警備員等は、帯封紙幣束が収納された収納庫４００を紙幣処理装置１０から取り外した後、表示部５０２に表示されている帯封紙幣束の仕向先の情報を見ることにより、収納庫４００をどこに運搬すればよいかを一目で認識することができるようになる。
【００７３】
以上のような構成からなる本実施の形態の紙幣処理システムによれば、帯封紙幣束を収納する収納庫４００が紙幣処理装置１０の筐体１１の外部の位置で着脱自在に装着されるようにすることにより、操作者にとっての利便性を向上させることができる。より詳細に説明すると、従来では、紙幣処理装置の筐体の外部における投出口の近傍には帯封紙幣束の収容ケースが設けられており、紙幣処理装置の投出口から筐体の外部に出された帯封紙幣束は収容ケースに収容されるようになっていた。しかしながら、帯封紙幣束の収容ケースを単に紙幣処理装置の筐体の外側に置いただけでは、収容ケースに収容されている帯封紙幣束が第三者に持ち去られるのを防ぐため、紙幣処理装置からの帯封紙幣束の投出動作中に操作者は紙幣処理装置から離れることができず、不便であるという問題があった。これに対し、本実施の形態の紙幣処理システムでは、紙幣処理装置１０の帯封部２００により作製された帯封紙幣束は外付けの収納庫４００に収納されるようになるため、紙幣処理装置からの帯封紙幣束の投出動作中に操作者が紙幣処理装置から離れることができ、よって操作者にとっての利便性が向上するようになる。
【００７４】
なお、本実施の形態による収納庫やこのような収納庫を備えた紙幣処理システムは、上述したような態様に限定されることはなく、様々な変更を加えることができる。
【００７５】
例えば、本実施の形態において用いられる収納庫は、内部構成が図３乃至図７に示すようなものに限定されることはない。紙幣処理装置１０の帯封部２００により作製された帯封紙幣を収納することができるものであれば、収納庫の内部構成を任意のものとすることができる。また、紙幣処理装置１０に着脱自在となっている収納庫として、帯封紙幣束を内部に入れるための開口を開閉するシャッタが設けられていないものが用いられてもよい。この場合には収納庫が紙幣処理装置１０から取り外された後、操作者は開口を介して収納庫の内部に手を入れることができるようになるが、図３乃至図５に示す収納庫４００、４００ａ、４００ｂのように内部にフラップ板を設けることによって収納庫に収納されている帯封紙幣束が外部に取り出されてしまうことを抑制することができるようになる。また、更に別の変形例では、シャッタが設けられていない収納庫において、帯封紙幣束を内部に入れるための開口がフラップ板により開閉されるようになっていてもよい。また、このような収納庫において、開口を閉じた状態でフラップ板をロックするロック機構が設けられていてもよい。この場合には、収納庫が紙幣処理装置１０に装着されていないときにはロック機構によりフラップ板がロックされることにより開口が当該フラップ板により閉止される。また、収納庫が紙幣処理装置１０に装着されたことが装着検知部１６により検知されると、ロック機構によるフラップ板のロック状態が解除され、紙幣処理装置１０により作製された帯封紙幣束を開口から収納庫の内部に入れることができるようになる。また、本実施の形態による収納庫として、ＩＣタグ等の記憶媒体が設けられていないものが用いられてもよい。
【００７６】
また、本実施の形態の紙幣処理装置１０において、収納庫４００が紙幣処理装置１０の筐体１１の前面に装着されていることが装着検知部１６により検知されない場合には、帯封部２００により帯封紙幣束が作製されないようになっていてもよい。この場合には、収納庫４００が紙幣処理装置１０に装着されておらず出口部２３０の帯封紙幣束投出口２３２が開いている状態で、帯封部２００により帯封紙幣束が作製されることによりこの作製された帯封紙幣束が帯封紙幣束投出口２３２から筐体１１の外部に投出されてしまい、この投出された帯封紙幣束が悪意ある第三者によって持ち去られてしまうことを防止することができるようになる。
【００７７】
また、本実施の形態の紙幣処理装置１０に外付けのプリンタ等の印字部が接続されるようになっていてもよい。この場合には、プリンタ等の印字部が紙幣処理装置１０に接続されたときに、制御部２０により管理されている、収納庫４００に収納されている帯封紙幣束に関する情報が印字部によってレシート等に印字されるようになる。この場合には、警送会社の警備員等は、収納庫４００を紙幣処理装置１０から取り外した後、この収納庫４００をレシートとともに金融機関等に運搬することにより、金融機関等ではレシートを見るだけで収納庫４００に収納されている帯封紙幣束に関する情報を認識することができるようになる。
【００７８】
また、本実施の形態の紙幣処理システムの更に他の例として、紙幣処理装置１０の出口部２３０と、収納庫４００の開口４０４とを向き合わせるよう紙幣処理装置１０の筐体１１に対する収納庫４００の位置決めを行う位置決め手段が設けられていないものが用いられてもよい。また、別の紙幣処理システムとして、収納庫４００が紙幣処理装置１０に装着されているときにこのことを検知する装着検知部が設けられていないものが用いられてもよい。また、更に別の紙幣処理システムとして、紙幣処理装置１０に装着された収納庫４００を当該紙幣処理装置１０から取り外すことのできないようロックするロック手段が設けられていないものが用いられてもよい。
【符号の説明】
【００７９】
１０      紙幣処理装置
１１      筐体
１２      操作表示部
１４      電源スイッチ
１６      装着検知部
１８      位置決め手段
１８ａ    取付ピン
１８ｂ    孔
２０      制御部
２２      リーダライタ
２４      ロック機構
１００    分類集積部
１０１    紙幣投入口
１０２、１０３  繰出ローラ
１０４    リジェクト口
１０４ａ  押さえ板
１０５    搬送部
１０６    識別部
１０７    表裏反転部
１１０    整理一時保留部
１１１    底部材
１１２    ストッパ
１１３    押さえ板
１２０、１２０ａ、１２０ｂ  外部集積部
１２１ａ、１２１ｂ  押さえ板
１３０    端数紙幣返却部
１３１    トレイ
１３３    シャッタ
２００    帯封部
２１０    テープセット部
２２０    帯封紙幣束搬送部
２３０    出口部
２３１    傾斜面
２３２    帯封紙幣束投出口
３００    紙幣束搬送機構
３１０    ガイド部
３２０    挟持部
３２１    上部アーム
３２２    下部アーム
４００、４００ａ、４００ｂ、４００ｃ、４００ｄ  収納庫
４０２    ケーシング
４０４、４０４ａ、４０４ｂ、４０４ｃ、４０４ｄ  開口
４０６    シャッタ
４１０    載置板
４１２    バネ
４１４    蝶番
４２０    フラップ板
４２２    フラップ板支持部
４３０    載置板
４３２    バネ
４３４    蝶番
４４０    フラップ板
４４２    フラップ板支持部
４５０    載置板
４５２    バネ
４５４    蝶番
４６０    第１フラップ板
４６２    第１フラップ板支持部
４６４    第２フラップ板
４６６    第２フラップ板支持部
４７０    載置板
４７２    バネ
４７４    蝶番
４７６    ガイド部
４８０    載置板
４９０    検知センサ
５００    記憶媒体
５０２    表示部
【図１】
2019053576.tif 000003
【図２】
2019053576.tif 000004
【図３】
2019053576.tif 000005
【図４】
2019053576.tif 000006
【図５】
2019053576.tif 000007
【図６】
2019053576.tif 000008
【図７】
2019053576.tif 000009
【図８】
2019053576.tif 000010